(57)【特許請求の範囲】
【請求項１】
移動局と複数のセルサイトを含む分散構成デジタル無線通信システムを提供するための方法であって、
移動局によって、引続き移動局に送られるフレームデータを送信するための好適なセルサイトを選択する段階と、
好適なセルサイトの基地局によって、フレームデータの送信をスケジュール化する段階であって、送信用パラメータが最新測定対象チャネルと干渉情報により好適なセルサイトの基地局によって決定される、前記スケジュール化する段階と、
その後好適なセルサイトからフレームデータを送る段階と、
フレームデータの送信を反映するために、移動局に対応付けられた能動集合の基地局におけるデータ待ち行列の同期を取る段階と、を含むことを特徴とする方法。
【請求項２】
請求項１に記載の方法であって、更に、集中制御された自動繰り返し要求（ＡＲＱ）機能を提供する段階を含むことを特徴とする方法。
【請求項３】
請求項２に記載の方法であって、前記提供する段階は、
選択再送ＡＲＱ機能を提供する段階を含むことを特徴とする方法。
【請求項４】
請求項１に記載の方法であって、前記同期化する段階は、好適なセルサイトの基地局からの逆送マルチキャストを介して、基地局の待ち行列の状態を、移動局に対応付けられた能動集合の基地局における他の基地局へ伝達する段階を含むことを特徴とする方法。
【請求項５】
請求項１に記載の方法であって、前記同期化する段階は、移動局から、移動局に対応付けられた能動集合の基地局の少なくとも１つの基地局へ、前記移動局によって受信された最近の送信に関する情報を伝達することを特徴とする方法。
【請求項６】
請求項１に記載の方法であって、前記選択する段階は、
すぐ後に移動局に送られるフレームデータを送信するための好適なセルサイトを決定するために、現在のフレームデータの間に移動局に対応付けられた能動集合の基地局の通信を監視する段階と、
逆方向リンク通信によって好適なセルサイトを識別する段階と、を含むことを特徴とする方法。
【請求項７】
請求項１に記載の方法であって、更に、
基地局において、自動繰り返し要求（ＡＲＱ）機能を提供する段階であって、これによってＡＲＱ帰還遅延を低減する前記段階を含むことを特徴とする方法。
【請求項８】
請求項７に記載の方法であって、更に、能動集合の基地局において、
ＡＲＱ肯定応答を検出するために、移動局からのアップリンク通信を監視する段階を含むことを特徴とする方法。
【請求項９】
請求項７に記載の方法であって、前記提供する段階は、
個別のＡＲＱチャネルにおいて、奇数及び偶数フレームのデータを処理し偶数及び奇数ＡＲＱ機能を生成する二重チャネルハイブリッドＡＲＱ手法によってＡＲＱ機能を実行する段階と、
現在のセルから新規セルへ切替える際、対応する現在の偶数又は奇数パケットが完了した後、前記偶数及び奇数ＡＲＱ機能を個別に切替える段階と、を含むことを特徴とする方法。
【請求項１０】
請求項９に記載の方法であって、前記偶数及び奇数ＡＲＱ機能を個別に切替える段階は、
新規セルにおける見積もったグルーピングと現セルの送信の成功から開始パケットシーケンス番号を計算する段階を含むことを特徴とする方法。
【請求項１１】
請求項７に記載の方法であって、前記提供する段階は、
個別のＡＲＱチャネルにおいて、奇数及び偶数フレームのデータを処理し偶数及び奇数ＡＲＱ機能を生成する二重チャネルハイブリッドＡＲＱ手法によってＡＲＱ機能を実行する段階と、
現在のセルから新規セルへ切替える際、前記偶数及び奇数ＡＲＱ機能をすぐに切替え、また前記新規セルにおいて前記偶数及び奇数ＡＲＱ機能を継続する段階と、を含むことを特徴とする方法。
【請求項１２】
請求項７に記載の方法であって、前記提供する段階は、
個別のＡＲＱチャネルにおいて、奇数及び偶数フレームのデータを処理し偶数及び奇数ＡＲＱ機能を生成する二重チャネルハイブリッドＡＲＱ手法によってＡＲＱ機能を実行する段階と、
逆送更新を介して初期的に又周期的に、移動局と対応付けられた前記能動集合の基地局の同期を取る段階と、
前記能動集合における基地局によって、前記逆送更新間の好適なセルサイトの基地局の無線リンク制御状態を監視する段階と、を含むことを特徴とする方法。
【請求項１３】
請求項７に記載の方法であって、前記提供する段階は、
個別のＡＲＱチャネルにおいて、ｎフレームのデータを処理しｎＡＲＱ機能を生成するｎーチャネルハイブリッドＡＲＱ手法によってＡＲＱ機能を実行する段階と、
現在のセルから新規セルへ切替える際、対応する現在の与えられたパケットが完了した後、前記各ｎＡＲＱ機能を個別に切替える段階と、を含むことを特徴とする方法。
【請求項１４】
請求項１３に記載の方法であって、前記各ｎＡＲＱ機能を個別に切替える段階は、
新規セルにおける見積もったグルーピングと現セルの送信の成功から開始パケットシーケンス番号を計算する段階を含むことを特徴とする方法。
【請求項１５】
請求項７に記載の方法であって、前記提供する段階は、
個別のＡＲＱチャネルにおいて、ｎフレームのデータを処理しｎＡＲＱ機能を生成するｎ−チャネルハイブリッドＡＲＱ手法によってＡＲＱ機能を実行する段階と、
新規セルへ切替える際、前記各ｎＡＲＱ機能をすぐに切替え、また前記新規セルにおいて前記ｎＡＲＱ機能を継続する段階と、を含むことを特徴とする方法。
【請求項１６】
請求項７に記載の方法であって、前記提供する段階は、
個別のＡＲＱチャネルにおいて、ｎフレームのデータを処理しｎＡＲＱ機能を生成するｎ−チャネルハイブリッドＡＲＱ手法によってＡＲＱ機能を実行する段階と、
逆送更新を介して初期的に又周期的に、移動局と対応付けられた前記能動集合の基地局の同期を取る段階と、
前記能動集合における基地局によって、前記逆送更新間の好適なセルサイトの基地局の無線リンク制御状態を監視する段階と、を含むことを特徴とする方法。
【請求項１７】
請求項７に記載の方法であって、前記移動局は、変調符号化レベル、マルチコードの番号、送信中に好適なセルサイトの基地局によって用いられるパケット番号の内少なくとも１つの報告を含むＡＲＱ肯定応答を返すことを特徴とする方法。
【請求項１８】
請求項７に記載の方法であって、前記移動局は、充分なパワーで送信され移動局と対応付けられた能動集合の基地局の内少なくとも１つによって受信されるＡＲＱ肯定応答を返すことを特徴とする方法。
【請求項１９】
移動局と複数のセルサイトを含む分散構成デジタル無線通信システムにおいて用いられる基地局であって、
移動局からのメッセージを受信するための送受信機であって、前記メッセージは、すぐ後に移動局に送られるフレームデータを送信するために用いられる好適なセルサイトの移動局による選択を示す前記送受信機と、
メッセージを処理するための送受信機に接続され、送受信機を制御するためのプロッセッサであって、データ待ち行列を記憶するためのメモリに接続されている前記プロッセッサと、
無線通信システムの制御装置と通信を行うための前記プロッセッサに接続されたネットワークインターフェイスと、
を備える前記基地局において、
前記プロッセッサは、
前記基地局が前記好適なセルサイトの基地局である場合、前記フレームデータの送信をスケジュール化するようにプログラミングされ、送信用パラメータは、最新測定対象チャネルと干渉情報から、前記送受信機と協働して、前記プロッセッサによって決定され、
前記基地局が前記好適なセルサイトの基地局ではないが移動局に対応付けられた能動集合の基地局の構成要素である場合、前記フレームデータの送信を反映するために、前記フレームデータが前記移動局によって受信されたという通知に応じて、データ待ち行列を同期化するようにプログラミングされることを特徴とする基地局。
【請求項２０】
請求項１９に記載の基地局であって、前記プロッセッサは更に自動再送要求機能を提供するために、送受信機と移動局と協働するようにプログラミングされることを特徴とする基地局。
【発明の詳細な説明】
【０００１】
発明の分野
本発明は、一般的に無線通信システムに関し、特に、分散構成デジタル無線通信システムを提供するための方法及び装置に関する。
【０００２】
発明の背景
現在のＣＤＭＡシステムには、「ソフトハンドオフ」が用いられており、移動局（ＭＳ）は、あるセルから別のセルへ移る間に複数の基地送受信局（ＢＴＳ）と同時に通信を行う。しかしながら、複数のＢＴＳは、単一のＭＳにソフトハンドオフで送信を行うことから、現実の対象事例では、システム容量が無駄になるか、あるいは順方向リンク上で新たな干渉が発生することが多い。「高速セルサイト選択」（ＦＣＳＳ）は、１つのＢＴＳのみが任意の時点でＭＳに送信するように、第１ＢＴＳから第２ＢＴＳに瞬時に順方向リンクを切替えることによってソフトハンドオフを解消する。
【０００３】
ＦＣＳＳが抱える問題は、ＭＳへのパケットデータフローがシームレスであるために、第１ＢＴＳで待ち行列にあるＭＳ用パケットデータが第２ＢＴＳにおいて利用可能でなければならないことである。パケットフローの連続性に何らかの遅れがあると、システム容量すなわち処理能力の損失が生じる場合があり、またパケットの繰返しがあると、システム容量の損失と共に干渉の増加が生じる。従って、ＦＣＳＳの成功の鍵は、ネットワークからＭＳへ送信されたパケットが両方のＢＴＳで利用可能なようにすることと、ＦＣＳＳができるだけシームレスになるように、パケット待ち行列が「同期」された状態に保つことである。
【０００４】
従来技術のシステムでは、データパケットのスケジューリングと自動繰り返し要求（ＡＲＱ）機能が中央制御装置において行われる、集中制御構成が用いられてきた。この集中制御構成によって、ＦＣＳＳ（又はソフトハンドオフを用いる全ての方式）にとって望ましい遅延を超える遅延が課せられる。従って、必要とされるものは、従来技術の集中制御システムにおいて見られるスケジューリングやＡＲＱの遅れを低減するデジタル無線通信システム用の新しい構成である。
【０００５】
図面の詳細な説明
本発明の開示によって、いくつかの利点を提供する２つの新しい分散ネットワーク構成について述べる。第１の構成は、データパケットスケジューリングをネットワーク端に移動して、適応符号化変調（ＡＭＣ）法の場合の重要な段階である逆送遅延を解消する。この分散構成の場合、パケット待ち行列同期化の基本的な方法が２つ提供される。第２の構成は、データパケットスケジューリングと共に自動再送要求（ＡＲＱ）機能を配信して、ＡＲＱの帰還遅れを低減する。第２の構成は、ＡＲＱのメモリコストを低減し、ハイブリッドＡＲＱ手法を可能にする。次に、この場合、ＡＲＱ同期化の別の方法がいくつか提供される。
【０００６】
高速セルサイト選択（ＦＣＳＳ）の説明に用いられる専門用語は、ソフトハンドオフに用いられるものに類似している。移動局（ＭＳ）とネットワークは、ＭＳ用の「能動集合」と「近傍集合」を常時パイロットしている。ＭＳの能動集合において基地送受信局（ＢＴＳ）のいずれか１つが移動局によって選択され、任意のフレーム間隔で送信を行うことができる。ネットワークは、移動局の現在の能動集合と移動局の能動集合に追加しようとしている任意の新規候補ＢＴＳ又は複数のＢＴＳの両方に基づき基地送受信局（ＢＴＳ）の新規近傍リストを伝達する。そのような候補及び現在の能動集合サイトのパイロット強度は、パイロット強度更新メッセージを介してＭＳによって能動集合ＢＴＳに伝えられる。充分な強度を有する近傍リストパイロットが能動集合に対する候補とみなされるようにＭＳによって検出された時、そのようなパイロット強度更新メッセージが送られる。近傍集合はまた、ＭＳの位置とシステムのトポロジの情報に基づいて更新できる。ネットワークは、移動局に向かうデータが能動集合の全ＢＴＳで入手することができ、またＭＳがチャネル測定に基づき能動集合から１つのＢＴＳを選択することができるように保証し、また逆方向リンク上でその選択を知らせる。ＦＣＳＳとソフトハンドオフの主な違いは、ソフトハンドオフの開始と終了の決定が必要であることであり、ＭＳは誤ったチャネル条件下では非常に長い時間ソフトハンドオフの状態におかれる場合がある。ＦＣＳＳを実施するためのシステム容量のコストや障害は固定化され又小さくが、ソフトハンドオフに対するコストは未知であり、平均して大きく、特に固定ユーザにとっては大きい。ＦＣＳＳを用いることで、旧ＢＴＳからの順方向リンクは停止し、新規ＢＴＳからの順方向リンクは決定論的に開始する。
【０００７】
一般的な従来技術のセルラシステムを、７つの３セクタセルを表す図１に示す。セル１−ｂのデータユーザ１０２は、セル３−ｃ及び４−ａからのセクタと３方向ソフトハンドオフの状態にある。すなわち、セクタ１−ｂ、３−ｃ、４−ａは、データユーザの能動集合内にある。図２は、どのようにしてそれらのユーザが、各セルサイトにおいて基地送受信局（ＢＴＳ）２０８に接続された中央基地サイト制御装置（ＣＢＳＣ）２０２から成る従来技術の階層ネットワークでサービスを受けられるかを示す。ＣＢＳＣ２０２は、ＡＲＱ機能２０４とスケジューラ２０６を含む。ソフトハンドオフを用いて、ＣＢＳＣ２０２は、現在のチャネル条件に従って送信速度を選択し、またその選択された送信速度で大気インターフェイスに対して適当なサイズにデータトラフィックをセグメント化することによって、完全にフォーマットされた無線フレームを生成する。次に、ＣＢＳＣ２０２は、同じ無線フレームをその能動集合の全有効ＢＴＳ２０８（本例においては、ＢＴＳ＃１、ＢＴＳ＃３、とＢＴＳ＃４）に配信する。次に、これらのＢＴＳ２０８は、予めフォーマットされた無線フレームのサイマルキャストを行う。
【０００８】
一方、ＦＣＳＳは、能動集合のＢＴＳ２０８を１つだけ選択して、無線フレームを送信（この場合、モノキャスト）する。（以下の展開では、セル間の切替えとセクタ間の切替えは区別しない。セクタ間ハンドオフの場合、逆送遅延はほぼゼロと見なす。）チャネル条件が変わると、ＦＣＳＳは能動集合におけるＢＴＳ２０８間で切り替わる。選択プロセスは、通常移動制御され、極めて高速である。図３は、ＦＣＳＳを提供する従来技術の階層ネットワークを示す。図３のシステムは、無線フレームが能動集合において１つのＢＴＳ３０２によって送信され、他の全ＢＴＳによって破棄されるように、ＢＴＳにおいてゲート化機能を提供するという点で図２とは異なる。
【０００９】
ＦＣＳＳをサポートする２つの新規分散ネットワーク構成であって、スケジューリングあるいはスケジューリングとＡＲＱの両方をＢＴＳに移動する構成が提案されている。無線フレームが、ソフトハンドオフのようにサイマルキャストの代わりにモノキャストされるために、ＦＣＳＳはスケジューリングをＢＴＳに移すことができる。モノキャスト無線フレームは、もはや同じである必要は無く、すなわち能動集合における他のＢＴＳと時間的に合致する必要は無く、このことによって、パケットスケジューリングをネットワーク端に移すことができる。
【００１０】
図４は、本発明に基づく分散ネットワーク構成の第１の実施形態を示し、スケジューリング機能４１０が各ＢＴＳに備えられている。隣り合うＢＴＳ間の接続性がこの構成では必要なため、逆送遅延を共有バストポロジ４０８として示す。例えばインターネットからのパケットやフォーマットされていない無線フレームは、能動集合における全ＢＴＳ４１２に対してマルチキャストされる。（“パケット”という用語は、無線リンク制御ブロック、バイト、あるいはＩＰパケットの如何に係わらず、一意的に順序付けられたあらゆるプロトコルユニットのことである）。概念的には、それでもＣＢＳＣ４０４等の中央局は能動集合を管理し、ＡＲＱ機能４０６を提供する必要がある。しかしながら、これらの機能はゲートウェイ機能と組み合わせることができ、あるいはインターネットに接続される終端ルータに統合することができる。
【００１１】
スケジューリングをＢＴＳに移す利点は逆送遅れを無くすことである。逆送遅れが無いと、ＢＴＳはスケジューリングにおいて最新チャネル情報を用いることができる。帰還遅れの低減は、可変拡散要因及び／又は適応符号化変調を用いる“太いパイプ”の技術を用いるシステムにおいて特に重要であり、低帰還遅れが小さいことはチャネルと干渉の追跡に役に立つ。リンク処理能力とシステム容量は、最新チャネルと干渉見積と利用可能な送信パワーと整合する送信速度を選択することによって最大になる。しかしながら、トラフィックパターン（送信対象のパケットを有するユーザ）が異なり、また各セル内のチャネルと干渉環境が異なると、データが異なる速度で能動集合における各ＢＴＳから転送される。従って、分散構成は、各ＢＴＳにおける待ち行列の同期が取られて、移動局が能動集合におけるＢＴＳ間で切り替わる時、それらのパケットが必要以上に再送されないことが必要である。この問題に対するいくつかの解決手段について、本明細書において以下に述べる。
【００１２】
有効ＢＴＳの待ち行列の同期化は、分散スケジューラ構成にとって重要な問題である。能動集合における各ＢＴＳ４１２（図４のＢＴＳ＃１、＃３、＃４）は、ＣＢＳＣから移動局のパケットを全て受信するマルチキャストグループの一部であり、また各ＢＴＳはパケットの同じ待ち行列が移動局に向かうように維持する。ＭＳ４０２は、フレーム毎に送信される高速アップリンク伝送を介して能動集合の中から有効ＢＴＳ４１２を選択するのが好ましい。ＢＴＳ４１２におけるスケジューラは、１フレーム当り１回、現在のチャネル条件と利用可能なパワーに基づいて、あらゆる無線フレームにおける１つ又は複数のパケットを選択し送信する。図５は、上述の待ち行列同期化の課題を示す。ＢＴＳ５０４がパケットを送り、ＭＳ４０２から、例えば、ＰＫＴ＃２から肯定応答信号を受信した場合、能動集合における他のＢＴＳ５０２に通知する必要があり、こうして、各々の待ち行列をＢＴＳ５０４の待ち行列と同期化できる。待ち行列の同期を取るための２つの代表的な方式、逆送方式と無線方式について、本明細書において以下で更に述べる。
【００１３】
第１の実施形態において、全てのパケットはその通信プロトコルの層２に見える固有のシーケンス番号を含むのが好ましい。更に、選択的再送ＡＲＱはネットワークに配置されたＡＲＱ機能と共に用いられる。ＡＲＱ帰還遅れ（と窓の大きさ）が大きい場合、中央に配置されたＡＲＱは理にかなったものである。この実施形態においては、送信に対応付けられたＡＣＫ（存在する場合）を切替え前に受信するセルサイトは、その送信に対する帰還を含むＡＣＫが最終的にそれをネットワークに帰還する限り、重要ではないことに留意されたい。ＣＢＳＣにおいてパケットフローの中に再試行が挿入されるために、ＡＲＱは新規セルハンドオフされる必要はない。
【００１４】
スケジューリングをＢＴＳに移すことができることに加えて、ＦＣＳＳによって、ＡＲＱ機能をＢＴＳに移すことができる。図６は、本発明に基づくネットワーク構成の第２の実施形態を示す。第２の実施形態において、スケジューラ６０６とＡＲＱ機能６０４は両方共、ＢＴＳ６０２において分散される。ＣＢＳＣ６０８は機能を縮小されたままである。ＦＣＳＳの場合、ＣＢＳＣ６０８は能動集合の構成要素を定義し、マルチキャストグループを調整することによって移動度を管理する働きを担っている。ＩＰパケットは、能動集合におけるＢＴＳ６０２に直接マルチキャストされる。
【００１５】
ＡＲＱ機能をネットワーク端に移す利点は、ＡＲＱ帰還遅れが大幅に低減されることである。ＡＲＱ遅れを低減することによって、特にハイブリッドＡＲＱを用いる従来の選択的再送ＡＲＱ方式が必要とするＭＳメモリが大幅に低減される。この遅れを低減することによって、システムはまた将来のオンライン稼動を含む高品質の稼動制約条件でＩＰトラフィックをほぼサポートできるようになる。しかしながら、待ち行列の同期化に加えて、ＡＲＱの同期化もここでは能動集合におけるＢＴＳ間で要求される。どのようにして待ち行列と選択的再送ＡＲＱの同期化を選択的再送ＡＲＱとハイブリッドＡＲＱに対して統合できるかということについては本明細書において以下で更に述べる。
【００１６】
１つの実施形態において、ＢＴＳ待ち行列の状態は有効ＢＴＳ６０２から能動集合における全ＢＴＳ６０２に対して逆送マルチキャストを介して伝達される。その通信は１スケジューリング間隔当り１回（例えば、１フレーム当り１回）行われる。図７は、本発明に基づくＭＳ４０２と能動集合におけるＢＴＳ６０２間通信のメッセージ列図（ＭＳＤ）を示す。第１の４つのパケットの場合、ＢＴＳ＃３は有効ＢＴＳである。各パケット送信と同時に、ＢＴＳ＃３は能動集合における他のＢＴＳ６０２に送信対象のパケットについて通知する。第３パケットが送信された後、ＭＳ４０２は新規の有効ＢＴＳ６０２を選択する。新規の有効ＢＴＳ＃１は逆送遅延で受信される前回の情報に基づきパケットの列をシームレスに継続できる。
【００１７】
図８は、単一タイミング図において本発明に基づくＦＣＳＳ信号送信とデータ転送を表す。データチャネル８０２は順方向リンクでパケットデータを送信する。逆送マルチキャスト８０４は現在のスケジュールを能動集合ＢＴＳ６０２に送る。ＦＣＳＳ８０６は２フレーム前に最適なセルを選択する。図の上部に、順方向リンクデータのタイミングと３つのＢＴＳ送信の逆送マルチキャストを示す。図の下部に、移動局のＦＣＳＳ決定を示す逆方向リンクタイミングを示す。番号が振られたスロットは、ＦＣＳＳ決定から順方向リンク送信（Ｆ−ＳＣＨ）へのマッピングを表し、これはＦＣＳＳ決定の２フレーム毎に続く。ＭＳサイト選択とスケジューリングを１つのフレームに組み合わせる場合、遅れは２フレームよりも少なくできることが理解されよう。図８の場合、マルチキャスト更新と次の送信のスケジューリングは現送信内で行うことができると仮定するが、逆送が１０＋Ｍｂｐｓである場合妥当な仮定である。
【００１８】
図９は、本発明に基づくフレームＮにおいて送信されるデータに対するＦＣＳＳ測定プロセスと選択のタイミングを示す。フレームＮ−３において、移動局は能動集合における全ＢＴＳのパイロット強度を測定し、（予め定義されたヒステリシス損失を受ける）最良のものを選択する。次に、ＭＳ４０２はフレームＮ−２における逆方向ＦＣＳＳチャネル上そのＢＴＳ選択を送信する。フレームＮ−１において、所望のＢＴＳ６０２は符号化変調方式（ＭＣＳ）のレベルを選択しスケジュールを計算する。最後に、データは順方向データチャネル上で所望のＢＴＳ６０２から送信される。（もう１つの選択肢として、ＦＣＳＳチャネル上の送信とＢＴＳスケジューリングプロセスを圧縮して、同フレームで行われるようにして、４フレームではなく３フレームにプロセス全体を低減してもよいことが理解されよう。）利点としては、スケジューラの同期を取るための逆送マルチキャスト技術は、単純で明解な解決手段をＢＴＳの同期化にも提供する。ＢＴＳ６０２は、パケットの繰返しや空白無しで同期化されたままである。しかしながら、この技術には、待ち時間を小さくするために広い逆送帯域幅が必要である。
【００１９】
一方、移動局の状態は、能動集合のＢＴＳ６０２に対して、無線（ＯＴＡ）転送することができる。この実施形態において、ＢＴＳ６０２は、ＭＳ４０２からの帰還によって、どんなパケットが最後に送信されたかを判定する。ＭＳ４０２は、最新の送信、例えば、最後に受信されたパケット、空白を含む正しく受信された全パケット、現在のＭＣＳレベル、（非同期セルを有するシステムにおいて）旧セルと新規セル間の差分タイミングオフセットに関するいくつかの異なる相補的な情報を伝える。周波数と転送毎の情報量は明らかに、オーバヘッドを低減するために最小化する必要がある。この転送は、セル選択メッセージ中すなわち単独メッセージにおいて行うことができる。１つの実施形態において、メッセージは、セル切替え中にのみ送信される。セルサイト選択のタイミングは、旧有効ＢＴＳからの最終パケット送信とほぼ同時かあるいはその前である。従って、転送における情報は現在のものではなく、１フレームの「移動状態遅延」がセル選択中に転送される移動状態に存在する。
【００２０】
図１０は、本発明に基づく順方向リンクデータ転送とＦＣＳＳに対する移動状態のタイミングを示す。データチャネル１００２は、順方向リンク上のパケットデータを示す。ＦＣＳＳ１００４は、移動局が選択する２フレーム前の最良セルを示す。移動状態１００６は、ＭＳ４０２によって受信された最後のパケットを伝える。セルの切替えは、縦線１００８によって表される。移動状態１００６は、順方向リンクに１フレーム分だけ常に遅れることに留意されたい（復調時間は無視できるものと仮定する）。旧有効ＢＴＳ６０２から送信される最後のフレームは、前ＭＣＳレベルで所望のＭＳ４０２、新規ＭＣＳレベルで所望のＭＳ４０２、あるいは全く別のＭＳ４０２に向けてもよいため、新規有効ＢＴＳ６０２は、どのパケットで送信を始めるのか厳密に確証を持つことができない。新規有効ＢＴＳ６０２は、追加情報を要求して、曖昧さを無くし、重複送信とパケット送信の失敗を回避する。この問題に対する１つの解決策は、新規有効ＢＴＳ６０２が、移動状態遅延中に送信される旧ＢＴＳ６０２のパケット数を見積もり、旧ＢＴＳからパケットを重複することのないパケットをスケジュール化し、次に、ＡＲＱプロトコルに、（例えば、次の選択的再送ＡＣＫマップにおけるホールから）飛越したパケットを識別させることである。
【００２１】
図１１は、ＡＲＱ窓内におけるスケジューラ６０６に対する３つの可能な起点を示す。（８個の選択的再送ＡＲＱ窓と１６個の列スペースは、一般的に小さく、説明のためだけに示していることに留意されたい。）。
【００２２】
１．スケジューラ６０６は、まず最も古い否定応答のパケット（すなわち、ＰＫＴ＃０、ＰＫＴ＃１、ＰＫＴ＃２、ＰＫＴ＃３）から取り組む。大抵、この代表的なスケジューラは重複送信ができるように保証されている。
【００２３】
２．新規ＢＴＳ６０２は、ＭＳ４０２から受信された最後の肯定応答から、旧ＢＴＳ６０２の最適進行を計算することができる。次に、新規有効ＢＴＳ６０２は、旧ＢＴＳ６０２が移動状態遅延中に処理できたであろう最大数のパケットだけ前方にジャンプする。新規ＢＴＳ６０２が旧ＢＴＳで用いられていたＭＣＳレベルを認識している場合、計算は正確である。そうでない場合、この計算は難しく及び／又は不正確である。
【００２４】
３．新規有効ＢＴＳ６０２は、ＡＲＱ窓の終わり（すなわち、ＰＫＴ＃７、ＰＫＴ＃６、パケット５等）から後方向に機能し始め、ＡＣＫを受信すると、窓の基部から機能を再開することができる。窓が大きい場合、このことは必要以上に大きい再配列バッファを発生し、また遅れの変動と実時間稼動をサポートする能力に影響を及ぼす。
【００２５】
２つの具体的なＯＴＡの具体化オプションについて、以下で検討する。
１）状態の完全な転送
移動局は、有効セル選択における各々の変動と共に完全な肯定応答（ＡＣＫ）を新規有効ＢＴＳ６０２に送る。完全なＡＣＫは、唯一のパケットシーケンス番号と提供されるシーケンス番号に対する現在のＡＲＱ窓内において受信される全パケットを識別するビットマップを含むのが好ましい。この技術には、逆送更新が要求されないという利点がある。不都合な点は、完全なＡＣＫメッセージは非常に大きく、頻繁に送信できないことである。
【００２６】
２）状態の増分転送
ＭＳ４０２は、セル切替え中だけでなく、最後に受信されたパケット数を周期的にＢＴＳ６０２に通知する。このような周期的な更新は、フレーム毎に、いくつかの複数のフレーム毎に、あるいはＡＣＫメッセージと同時に受信できる。メッセージは、能動集合における各ＢＴＳ６０２によって受信されなければならない。更新は記憶され（キャッシュに入れられ）、またセル切替えが起きる時、状態を構築するために用いられる。このような技術にもまた、逆送更新が要求されないという利点がある。また状態メッセージがＡＣＫメッセージよりも頻繁に送られる場合、逆方向リンクメッセージ毎に用いられるビットは少なく、アップリンクメッセージの損失に対して強固である。不都合な点は、メッセージが、能動集合における全ＢＴＳ６０２に到達するためにより大きいパワーを要求する場合があることである。
【００２７】
逆送とＯＴＡを用いる解決策を組み合わせることで、全体の性能を改善しても良い。逆送遅れは、短期的にはＯＴＡ解決策を用いることによって、また長期的には逆送マルチキャストを用いることによって解決してもよい。例えば、逆送はＮフレーム毎に送ることができる。補完的な方法として、要求される信号送信帯域幅は逆送更新によって狭くしてもよい。シーケンス番号は逆送更新間の期間で一意であればよく、より少ないビットで表してもよい。更に、逆送更新は、送信失敗した、あるいは誤った移動状態送信によるあらゆる誤りの補正を行う。
【００２８】
また逆送メッセージ送信を用いて、前節で述べた「移動状態遅延」を補正してもよい。旧有効ＢＴＳ６０２は、新規有効ＢＴＳ６０２に対して送信完了した最後のパケットについて通知する。新規ＢＴＳが前方に飛越えパケットの重複を回避したと仮定すると、新規ＢＴＳは、旧ＢＴＳの最後に送信完了したパケットとＦＣＳＳのハンドオフ後に送信された初期パケットの間でスキップされたパケットを送信することができる。
【００２９】
２重チャネルハイブリッドＡＲＱについては、１９９９年１１月１７日に出願されたキュダック（Ｃｕｄａｋ）らによる米国特許申請番号第０９／４４２、２５０号の中に記載されている。その基本的な考えは、ストップアンドウェイトハイブリッドＡＲＱの強度（容量利得、低メモリ要求事項）を全チャネル利用と組み合わせることである。高速帰還が要求され、分散構成を用いる必要がある。
【００３０】
簡単に言えば、１つの実施形態において、ＭＳ４０２とＢＴＳ６０２は、ＣＤＭＡ無線インターフェイス上で互いに無線で通信を行う。データパケットはＣＢＳＣ６０８において待ち行列に入った後、ＣＢＳＣに接続された適当なＢＴＳ６０２に配信される。逆方向パイロットチャネル（Ｒ−ＰＩＣＨ）と逆方向送信セクタ表示用チャネル（Ｒ−ＴＳＩＣＨ）の構造を図１２に示す。Ｒ−ＴＳＩＣＨ１２０６は、要求セクタを示すために用いられる逆方向リンク信号であり、その要求セクタから、ネットワークはそのデータ送信を移動局に対して行う。各パワー制御グループにおける最後の２５６個のＲ−ＰＩＣＨ１２０４記号（すなわち、１．２５ミリ秒）は、出力ポート１２０２においてＲ−ＴＳＩＣＨに対応する符号を用いてマスキングされる。ネットワーク中の各セクタは固有符号によって識別される。これらの符号は、一連の２５６個の直交ウォルシュアダマール符号から選択される。ネットワークは、セクタを認識し、このセクタから、データはセクタに専用のＲ−ＴＳＩＣＨ符号を検出することによって要求される。Ｒ−ＴＳＩＣＨのマスキングは、パワー制御グループ（ＰＣＧ）毎に繰返される。２重チャネルストップアンドウェイトＡＲＱは、ストップアンドウェイト方式プロトコルを並列化し、アイドル状態のチャネルにおいてＡＲＱプロトコルの個別のインスタンスを実際に走らせることによって解決手段を提供する。その結果、アルゴリズムの１つのインスタンスは、他のインスタンスが逆方向リンク上で肯定応答を伝えると同時に順方向リンク上でデータブロックを伝えることから、システム容量に無駄が生じない。パケットシステムにおいては、単一のユーザが一連のタイムスロット上でチャネル全体を占有することが多い。
【００３１】
図１３は、本発明に基づく２重チャネルハイブリッドＡＲＱモデルのブロック図であり、単一のユーザがチャネルを使用している場合を示す。図１３は、スロット溝が付いたデータチャネル上の単一の発信元と宛先から成るシステムをモデル化したものである。そのモデルは、データチャネルを偶数と奇数のタイムスロットに分割しＡＲＱプロトコルの独立インスタンスを識別する。偶数又は奇数状態は、順方向データチャネル（Ｆ−ＤＣＨ）上で逐一信号送信される。データブロックがネットワークから到着し、発信元で待ち行列１３０２に入れられる。次に、発信元は、２重チャネルシーケンサ１３０４を用いて、データブロックを偶数送信器１３０６か奇数送信器１３０８のいずれかに入れる。一旦入れられると、各送信器１３０６、１３０８は、データチャネル上のデータブロック及び対応付けられた制御チャネル上のシーケンスビットを送信することによって、偶数１３１０あるいは奇数１３１２のタイムスロット各々において、従来のストップアンドウェイトＡＲＱアルゴリズムを実行する。発信元と同様に、宛先側の装置も、偶数１３１０と奇数１３１２各々のタイムスロット（別名５ミリ秒フレーム）からブロックを受信する奇数受信器１３２０と偶数受信器１３１４の両者を含む。各受信器１３２０、１３１４は、独立したハイブリッドＡＲＱ復号器１３１６、１３１８と接続される。ハイブリッドＡＲＱ復号器は、個別の帰還チャネル上でのデータブロックの成功（あるいは失敗）を信号送信する。ハイブリッドＡＲＱ復号器１３１６、１３１８は、現在のシーケンス番号に対して、失敗試行から全ての記号を記憶する。多くても、１組の偶数記号と１組の奇数記号が、偶数と奇数のハイブリッドＡＲＱ復号器１３１６、１３１８によって各々記憶される。独立した帰還チャネルがストップアンドウェイトの各インスタンスをサポートするために存在する。帰還チャネルは、ダウンリンク送信のすぐ後に続くフレームにおいて逆方向リンク上でスケジュール化される。動作中、ＭＳ４０２は、セクタを選択することが好ましいが、このセクタから、その能動集合リストのリンク品質に基づき順方向チャネル上のパケットデータを受信すること予想される。ネットワークにおける各セクタは固有符号によって識別される。ＢＴＳ６０２はセクタを認識し、このセクタから、セクタ専用のＲ−ＴＳＩＣＨ符号を検出することによってＭＳ４０２はデータを要求する。ＣＢＳＣ６０８で待ち行列に入ったパケットデータは、奇数と偶数のパケットデータストリームに分割される。ＢＴＳ６０２における送信スロットもまた、奇数と偶数スロットに分割され、待ち行列に入ったパケットデータと送信スロットは１対１で対応している、すなわち、偶数待ち行列に入ったデータは常に偶数スロットから、奇数待ち行列に入ったデータは常に奇数スロットから送信される（あるいはまた、その逆も可）。偶数パケットは１つ又は一連のいくつかの偶数パケットから構成してもよく、また奇数パケットは１つ又は一連のいくつかの奇数パケットから構成してもよいことに留意されたい。奇数又は偶数パケットの内１つが正確に復号化される場合、ＭＳ４０２は、即時ＡＣＫを対応するＢＴＳ６０２に送り、そうでない場合、パケットは次の対応する奇数又は偶数スロットにおいてＢＴＳ６０２から再送信される。このＡＣＫは、複数のＢＴＳ６０２においてＡＣＫを復号できるように、より大きいパワーで送ることができることに留意されたい。ＡＣＫがＭＳ４０２によって送られたが、ＢＴＳによって受信されない場合、次のインスタンスにおける選択されたＢＴＳ６０２は同じパケットを再送する。しかしながら、ＭＳ４０２はパケット受信の際にそのパケットを破棄する。
【００３２】
０／１シーケンス番号は、ＡＣＫタイミングに基づく暗黙の偶数／奇数に用いられると仮定する。一方、ＩＰシーケンス番号は適宜用いることができる。同期化方法によって、旧パケットは完了していないが、新規パケットが送信（あるいは異なるＭＣＳを用いて再送信）する場合、旧パケットに対応付けられたハイブリッドＡＲＱ状態は、受信器においてフラッシュしなければならない。このような環境下でグループ化されたパケットには、特別な注意を払わなければならない。
【００３３】
ハイブリッドＡＲＱの利得を提供することに加えて、２重チャネルハイブリッドＡＲＱは、都合の良いことにＭＣＳ選択に対して強固であり、移動記憶量を低減する更に小さいシーケンススペースを必要とし、選択的再送ＡＲＱよりも小さいシーケンス番号のオーバヘッドを必要とし、また容易に重複検出を行う（重複は、チャネル復号化の前に、個別に符号化されたヘッダから識別できる）。
【００３４】
ＡＲＱ同期化の実行には、４つの方法がある。
１．「中止」
偶数と奇数のパケット両方を放棄し、偶数と奇数ＡＲＱ両方を新規セルに直ちに切替える。
２．「待機」
偶数と奇数のＡＲＱを新規セルに切替える前に、偶数と奇数のパケット両方が終了（完了あるいは中止）するまで待機する。
【００３５】
３．「スタッガ」
ＡＲＱを新規セルに切替える前にパケットが終了するまで待機するが、偶数と奇数のＡＲＱを別々に切替える。
４．「継続」
偶数と奇数のＡＲＱを直ちに切替え、新規セルにおいて両ＡＲＱを継続する。
【００３６】
上述の４つの方式は、本明細書において上述したハイブリッド逆送とＯＴＡ方式とに組み合わせることで、待ち行列とＡＲＱの同期化を達成できる。好適な実施形態には、本明細書において以下で述べるようなスタッガ方式が用いられる。もう１つの好適な実施形態には、同じく本明細書において以下に述べるような継続方式が用いられる。中止方式は、送信に無駄が生じて、システム容量が少なくなり、干渉が増加するため好ましくない。待機方式は、ＡＲＱ（例えば、偶数）の１つが終了し、他方（例えば、奇数）が終了していない場合、チャネルをアイドル状態のままにしておくことがあるため好ましくない。最後に、「ＡＲＱミラリング」と称される増分状態転送もまた本明細書において以下で述べる。
【００３７】
図１４は、本発明に基づく逆送マルチキャストを用いるスタッガ方式を示す。データチャネル１４０２は、順方向チャネル上のパケットデータを示す。逆送マルチキャスト１４０４は、能動集合のＢＴＳ６０２に送られる現在のスケジュールを示す。ＦＣＳＳ１４０６は、２フレーム前に最良セルを選択する。ＡＣＫ１４０８は、偶数と奇数データに対して送られる肯定応答を示す。スタッガ方式は、以下のように動作する。
【００３８】
１．セルあるいはセクタ切替え中に、新旧両方のＢＴＳ６０２が、偶数と奇数のＡＣＫを受信する。ＡＣＫは新規ＢＴＳに、ＡＲＱが終了し、チャネルが使用可能であることを知らせる。
【００３９】
２．新規ＢＴＳ６０２は、次のパケットにジャンプする。次のパケットは、偶数と奇数チャネルの見積もりによるグループ化と成功に基づいて計算される。計算済パケットが既に送信に成功している場合、新規パケットは再送パケットである。計算済パケットが、旧セルが完了するよりも更に待ち行列にある場合、ホール（いくつかのスキップされたパケット）が存在する。
【００４０】
３．ＡＲＱが終了することによって、旧ＢＴＳ６０２から新規ＢＴＳ６０２に、肯定応答情報と共に、新たな逆送メッセージのトリガがかけられる。逆送メッセージは、計算によらない厳密な待ち行列状態を提供する。
【００４１】
このような方式の恩恵は、既存の肯定応答帰還よりＯＴＡ信号送信が少なくて済むことである。不利な点としては、ＡＣＫはハンドオフ中に両ＢＴＳ６０２によって受信するために幾分パワーが大きくなければならず、また移動遅延によって計算が不正確になることである。
【００４２】
図１５は、本発明に基づくＯＴＡ信号送信を用いる継続方式を示す。データチャネル１５０２は順方向チャネル上のパケットデータを示す。ＦＣＳＳ１５０４は２フレーム前に最良セルを選択する。ＡＣＫ１５０６は奇数と偶数チャネルの移動局の肯定応答を示す。移動状態１５０８は、移動局によって最後に受信されたパケットのシーケンス番号を示す。エコー対象ＭＣＳ１５１０は、前回の状態におけるＭＣＳ割当てを示す。継続方式は、以下のように動作する。
【００４３】
１．セルサイトの切替えメッセージは、新規ＢＴＳ６０２に最後に受信されたパケットシーケンス番号と現在のフレーム割当て（例えば、ＭＣＳとマルチコード番号）を通知するメッセージを伴う。新規ＢＴＳは、この情報を用いて、現在のパケットあるいは新規パケットの再送に理論的に備える（前方へのジャンプ）。
【００４４】
２．切替え中、ＡＣＫは、新規ＢＴＳに向けられる。ＡＣＫが受信されると、理論的な選択の１つにトリガがかけられる（再試行あるいは新規パケット）。
３．一旦ハンドオフが完了し逆送メッセージが受信されると、前方ジャンプからの全てのホールを埋め戻すことができる。
【００４５】
利点として、旧ＢＴＳ６０２との通信は、山、建物、交差点等のために旧ＢＴＳが突然見失われる状況において、性能損失が生じることなく直ちに終了できることが挙げられる。別の利点は、この方式は逆送に依存しないことである。第３の利点は、セル切替え中に追加メッセージが存在しさえすればよいことである。不利な点は、不確定な場合、新規割当てが以前のものと一致せず、パケット損失の可能性が生じることである。
【００４６】
更にもう１つの同期化方式はＡＲＱミラリングである。この方式において、能動集合における全ＢＴＳ６０２は、逆送更新によって初期的に又周期的に同期を取ることが好ましい。更新間の同期化は、能動集合における各ＢＴＳに、現在のＢＴＳの無線リンク制御（ＲＬＣ）を「ミラリング」させることによって達成される。能動集合における全ＢＴＳは、送信成功パケットからＡＣＫを受信し、それに応じて各々の状態を更新する。現在のＢＴＳのみが送信を行う。より大きいパワーＡＣＫを用いなければならない場合がある。同期化の損失は、公知の重複検出手順によって対処する。
【００４７】
図１６は、本発明に基づくＢＴＳ６０２を示す電気系統例のブロック図である。ＢＴＳ６０２は、ＭＳ４０２からメッセージを受信するための送受信器１６０２から構成され、このメッセージはＭＳ４０２に引続き送られるフレームデータを送信するために用いられる好適なセルサイトのＭＳ４０２による選択を示す。更にＢＴＳ６０２は、メッセージを処理し送受信器１６０２を制御するための送受信器１６０２に接続されるプロセッサ１６０４から構成され、このプロセッサ１６０４は、データ待ち行列１６１８を記憶するためのメモリ１６０８に接続されている。更にＢＴＳ６０２は、ＣＢＳＣ６０８と通信を行うためのプロセッサ１６０４に接続されたネットワークインターフェイス１６０６から構成される。メモリ１６０８は、基地局６０２が好適なセルサイトの基地局である場合、プロセッサ１６０４がフレームデータの送信をスケジュール化するようプログラムするためのスケジューラプログラム１６１０から構成される。送信パラメータは、送受信器１６０２と協働して、知の技術によって集められた、最新測定対象チャネルと干渉情報から、プロセッサ１６０４によって決定される。また、基地局６０２が好適なセルの基地局ではないが移動局４０２に対応付けられた能動集合の基地局の構成要素である場合、フレームデータの移動局４０２による受信の通知に応じて、フレームデータの送信を反映するためにプロセッサ１６０４がデータの待ち行列１６１８の同期を取るようにプログラミングするための待ち行列同期装置１６１２をメモリ１６０８は含む。１つの実施形態において、更にメモリ１６０８は、本発明に基づき、プロセッサ１６０４が送受信器１６０２と移動局４０２と協働し自動再送要求機能を提供するようにプログラミングするための自動再送要求プログラム１６１４を含む。メモリ１６０８はまた、基地局６０２を一意的に識別するためのＢＴＳ識別子１６１６も含む。
【００４８】
図１７は、本発明に基づく移動局４０２を示す電気系統例のブロック図である。ＭＳ４０２は、複数のセルサイトから送信される信号の送信品質測定を行うための送受信器１７０２から構成され、この測定は公知の技術によって行われる。更にＭＳ４０２は、送信品質測定を処理して、移動局４０２に引続き送られるフレームデータを送信するための好適なセルサイトの選択を行うための送受信器１７０２に接続されるプロセッサ１７０４から構成される。プロセッサ１７０４は、複数のセルサイトの１つにおいて移動局４０２に対応付けられた少なくとも１つの能動集合の基地局６０２に選択を送信するようプログラムされている。ＭＳ４０２はまた、公知の技術によって、ユーザとのインターフェイスを取るためのユーザインターフェイス１７０６から構成することが好ましい。ＭＳ４０２はまた、ソフトウェアと本発明に基づき利用される変数を記憶するためのプロセッサ１７０４に接続されるメモリ１７０８を含む。上述のように、メモリ１７０８は、プロセッサ１７０４が最良のＢＴＳ６０２を選択するようにプログラミングするためのＢＴＳセレクタ１７１０から構成されている。メモリ１７０８はまた、プロセッサ１７０４が、正確に復号化されたデータパケットに応じて、送受信器と協働して自動再送要求機能に加わるように、また少なくとも好適なセルサイトの基地局に肯定応答を送るようにプログラミングするためのＡＲＱ処理プログラムを含む。更にＭＳ４０２は、プロセッサ１７０４が、移動局４０２に対応付けられた少なくとも１つの能動集合の基地局による選択を受信するのに充分なパワーで最良のＢＴＳ６０２の選択を送信するように、また移動局４０２に対応付けられた少なくとも１つの能動集合の基地局６０２による肯定応答を受信するのに充分なパワーで肯定応答を送信するようにプログラミングするためのパワー制御プログラム１７１４を含む。メモリはまた、ＭＳ４０２を識別するためのＭＳ識別子１７１６を含む
【００４９】
図１８は、本発明に基づく分散構成デジタル無線通信システムの動作を示す流れ図である。この流れ図は、移動局４０２が、引続き移動局に送られるフレームデータを送信するための好適なセルサイトを選択する（１８０２）段階から始まる。このために、移動局４０２は、現在のフレームデータの間に移動局に対応付けられた能動集合の基地局６０２の送信を監視して、引続き移動局に送られるフレームデータを送信するための好適なセルサイトを決定し、移動局から能動集合の少なくとも１つの基地局への逆方向リンク送信によって好適なセルサイトを識別する。
【００５０】
次に、好適なセルサイトの基地局６０２は、フレームデータの送信をスケジュール化し（１８０４）、送信速度、符号化変調方式レベル及びマルチコード番号等の送信用のパラメータは、最新測定対象チャネルとインターフェイス情報、例えば、搬送波対干渉比率、受信された信号強度、あるいはビット誤り率から、基地局によって決定される。引続き、基地局６０２は、好適なセルサイトからフレームデータを送る（１８０６）。各フレームデータを用いて、ＡＲＱ機能が提供される。１つの実施形態において、ＡＲＱ機能は集中制御されるが、例えば、公知の技術によってＣＢＳＣ４０４において実行される。この実施形態において、ＡＲＱ機能は選択的再送ＡＲＱ機能であることが好ましい。
【００５１】
もう１つの実施形態において、ＡＲＱ機能は分散され、基地局６０２において提供され、利点として、帰還遅れを低減する。この実施形態において、能動集合における基地局６０２は、移動局４０２からのアップリンク送信を監視して、ＡＲＱ肯定応答を検出することが好ましい。移動局４０２は、少なくとも１つの符号化変調レベル、マルチコード番号、及び順方向リンク送信を送る間に好適なセルサイトの基地局６０２によって用いられるパケット番号の報告を含むＡＲＱ肯定応答を返すことが好ましい。１つの実施形態において、移動局４０２は、能動集合の全基地局６０２が受信するのに充分な電力レベルで送信されるＡＲＱ肯定応答を返す。
【００５２】
基地局においてＡＲＱ機能を実行するための技術は、奇数と偶数のフレームデータを個別のＡＲＱチャネルにおいて処理し偶数と奇数のＡＲＱ機能を生成する２重チャネルハイブリッドＡＲＱ技術によってＡＲＱ機能を実行するものである。また現在のセルから新規セルへ切替える場合、対応する現在の偶数又は奇数のパケットが終了した後、偶数と奇数のＡＲＱ機能を個別に切替え、現在のセルの見積もられたグループ化と送信の成功から、新規セルにおける開始パケットシーケンス番号の計算を含んでいる。ＡＲＱ機能を実行するためのもう１つの技術は、奇数と偶数のフレームデータを個別のＡＲＱチャネルにおいて処理し偶数と奇数のＡＲＱ機能を生成する２重チャネルハイブリッドＡＲＱ技術によってＡＲＱ機能を実行するものである。また現在のセルから新規セルへ切替える場合、偶数と奇数のＡＲＱ機能を直ちに切替え、新規セルにおいて偶数と奇数のＡＲＱ機能を継続するものである。基地局６０２においてＡＲＱ機能を提供するための更にもう１つの技術は、奇数と偶数のフレームデータを個別のＡＲＱチャネルにおいて処理し偶数と奇数のＡＲＱ機能を生成する２重チャネルハイブリッドＡＲＱ技術によってＡＲＱ機能を実行するものである。また逆送更新によって初期的に又周期的に能動集合の移動局４０２おいて基地局の同期を取るものであり、また能動集合における基地局によって、逆送更新間における好適なセルサイトの基地局の無線リンク制御状態をミラリングするものである。
【００５３】
１つの基地局によって同時に複数の移動局接続に対処する場合、基地局は、ｎ個のフレームデータを個別のＡＲＱチャネルにおいて処理しｎＡＲＱ機能を生成するｎ―チャネルハイブリッドＡＲＱ技術によってＡＲＱ機能を実行する。現在のセルから新規セルへ切替える場合、与えられた集合の対応する現在のパケットが終了した後、ｎＡＲＱ機能を各々個別に切替え、現在のセルの見積もられたグループ化と送信成功から、新規セルにおける開始パケットシーケンス番号の計算を含んでいることが理解されよう。一方、ＡＲＱ機能は、ｎ個のフレームデータを個別のＡＲＱチャネルにおいて処理しｎ個のＡＲＱ機能を生成するｎ―チャネルハイブリッドＡＲＱ技術によってＡＲＱ機能を実行することによって提供できる。また新規セルに切替える場合、ｎＡＲＱ機能を各々直ちに切替え、新規セルにおいてｎＡＲＱ機能を継続する。ＡＲＱ機能を提供するための更にもう１つの技術は、ｎフレームデータを個別のＡＲＱチャネルにおいて処理しｎ個のＡＲＱ機能を生成するｎ―チャネルハイブリッドＡＲＱ技術によってＡＲＱ機能を実行するものである。また、逆送更新によって初期的に又周期的に能動集合の移動局おける基地局の同期を取り、能動集合における基地局によって、逆送更新間における好適なセルサイトの基地局の無線リンク制御状態をミラリングするものである。
【００５４】
再び図１８において、移動局４０２に対応付けられた能動集合の基地局６０２は、そのフレームデータの送信を反映するために各々のデータ待ち行列の同期を取る（１８０８）。１つの実施形態において、待ち行列同期化は、好適なセルサイトの基地局６０２からの逆送マルチキャストを介して、基地局の待ち行列の状態を、能動集合の移動局４０２における他の基地局に伝えることによって達成される。もう１つの実施形態において、待ち行列同期化は、移動局４０２から能動集合の移動局における少なくとも１つの基地局６０２に、移動局によって受信される最新の送信に関する情報を伝えることによって達成される。ＭＳ４０２は、新規のフレームデータに対してＢＴＳ６０２を選択する時であるかどうかをチェックする（１８１０）。そうでない場合、ＭＳはチェックを継続する。新規のフレームデータに対してＢＴＳ６０２を選択する時であれば、流れ図は段階１８０２に戻る。
【００５５】
本発明が分散構成デジタル無線通信システムを提供するための方法及び装置から構成されることは、上述した開示内容から明らかである。１つの実施形態において、利点として、本発明によって、スケジューリング機能がネットワーク端に移され、逆送遅延を無くすことによって、ＢＴＳは、スケジューリングのための最新チャネル情報を用いることが可能になる。もう１つの実施形態において、利点として、本発明によって、ＡＲＱ機能もまたネットワーク端に移されることによって、ＡＲＱの遅延を低減でき、これによって従来の選択的再送ＡＲＱ方式に必要なＭＳメモリが、特にハイブリッドＡＲＱを用いることで大幅に低減される。
【００５６】
本発明の多くの修正及び変更が、上述の説明に基づき可能である。従って、付随する請求項の範囲内において、本発明は、本明細書において具体的に上述した以外でも実践できることを理解されたい。
【図面の簡単な説明】
【図１】  代表的な従来技術のセルラシステムを示す図である。
【図２】  従来技術の階層ネットワークのブロック図である。
【図３】  高速セルサイト選択を提供する従来技術の階層ネットワークである。
【図４】  本発明に基づく分散ネットワーク構成の第１の実施形態を示す。
【図５】  待ち行列同期化の課題を示す。
【図６】  本発明に基づく分散ネットワーク構成の第２の実施形態を示す。
【図７】  本発明に基づくメッセージ列の図を示す。
【図８】  本発明に基づく高速セルサイト選択信号送信とデータ転送を示す。
【図９】  本発明に基づくＦＣＳＳ測定プロセスと選択のタイミングを示す。
【図１０】  本発明に基づく順方向リンクデータ転送とＦＣＳＳに対する移動状態のタイミングを示す。
【図１１】  ＡＲＱ窓内におけるスケジューラに対する３つの可能な起点を示す。
【図１２】  本発明に基づき用いる逆方向パイロットチャネル（Ｒ−ＰＩＣＨ）と逆方向送信セクタ表示チャネル（Ｒ−ＴＳＩＣＨ）の構造を示す。
【図１３】  本発明に基づく２重チャネルハイブリッドＡＲＱモデルのブロック図を示す。
【図１４】  本発明に基づく逆送マルチキャストとのＡＲＱ同期用スタッガ方式を示す。
【図１５】  本発明に基づくＯＴＡ信号方式を用いたＡＲＱ同期用継続方式を示す。
【図１６】  本発明に基づくＢＴＳ６０２を示す電気系統例のブロック図である。
【図１７】  本発明に基づく移動局４０２を示す電気系統例のブロック図である。
【図１８】  本発明に基づく分散構成デジタル無線通信システムの動作を示す流れ図である。
【図１】
0003875887.tif 000002
【図２】
0003875887.tif 000003
【図３】
0003875887.tif 000004
【図４】
0003875887.tif 000005
【図５】
0003875887.tif 000006
【図６】
0003875887.tif 000007
【図７】
0003875887.tif 000008
【図８】
0003875887.tif 000009
【図９】
0003875887.tif 000010
【図１０】
0003875887.tif 000011
【図１１】
0003875887.tif 000012
【図１２】
0003875887.tif 000013
【図１３】
0003875887.tif 000014
【図１４】
0003875887.tif 000015
【図１５】
0003875887.tif 000016
【図１６】
0003875887.tif 000017
【図１７】
0003875887.tif 000018
【図１８】
0003875887.tif 000019